(57)【要約】【課題】  熟練を要する現場作業を特に伴うことなく、防水シートの上端部と立上下地面との間への雨水などの侵入を確実、かつ、簡便に防止できる防水シート設置構造を提供する。【解決手段】  平面下地面と、その平面下地面から立ち上がる立上下地面４とに亘って防水シート２Ｂで覆い、その防水シートの上端部８をその外面側から挟み込んで立上下地面側に固定する固定具９を設けてある防水シート設置構造であって、上端部と立上下地面との間を一連に被覆可能なカバー部材１２を固定具に取付けると共に、上端部の上方側に沿って立上下地面側に対して一連に接当可能な弾性部材２０をカバー部材に設けて、弾性部材を立上下地面側に弾性変形状態で一連に密着させてある。【選択図】        図２
2005061117.tif 000002
【特許請求の範囲】
【請求項１】
平面下地面と、その平面下地面から立ち上がる立上下地面とに亘って防水シートで覆い、その防水シートの上端部をその外面側から挟み込んで前記立上下地面側に固定する固定具を設けてある防水シート設置構造であって、
前記上端部と前記立上下地面との間を一連に被覆可能なカバー部材を前記固定具に取付けると共に、前記上端部の上方側に沿って前記立上下地面側に対して一連に接当可能な弾性部材を前記カバー部材に設けて、
前記弾性部材を前記立上下地面側に弾性変形状態で一連に密着させてある防水シート設置構造。
【請求項２】
前記カバー部材を前記固定具に向けて一方向から押し付ける押し付け操作で、前記カバー部材と前記固定具とを外れ止め状態で嵌合可能な嵌合部を設けて、前記カバー部材を前記固定具に取付けてある請求項１記載の防水シート設置構造。
【請求項３】
前記弾性部材を前記カバー部材に着脱可能に設けてある請求項１又は２記載の防水シート設置構造。
【請求項４】
前記弾性部材を、前記立上下地面の上部で前記平面下地面の上方に張り出すように延設してある張出部の下面側に、弾性変形状態で一連に密着させてある請求項１〜３のいずれか１項記載の防水シート設置構造。
【請求項５】
前記弾性部材を径方向に弾性変形自在な筒状に形成して、前記立上下地面側に弾性圧縮変形状態で一連に密着させてある請求項１〜４のいずれか１項記載の防水シート設置構造。
【請求項６】
前記カバー部材の内側に侵入した水を流下させて排出可能な水抜き孔を設けてある請求項１〜５のいずれか１項記載の防水シート設置構造。
【発明の詳細な説明】
【技術分野】
【０００１】
本発明は、建物屋上やバルコニー，屋外廊下などの防水シート設置構造に関し、詳しくは、平面下地面と、その平面下地面から立ち上がる立上下地面とに亘って防水シートで覆い、その防水シートの上端部をその外面側から挟み込んで前記立上下地面側に固定する固定具を設けてある防水シート設置構造に関する。
【背景技術】
【０００２】
上記防水シート設置構造は、立上下地面とに亘って防水シートで覆って、その防水シートの上端部を立上下地面側に固定してあるので、例えば、立上下地面を形成している躯体の上端面を防水シートで包み込むように覆ってある防水シート設置構造に比べて、施工範囲（面積）を狭くすることができる上、平面下地面側からの作業で容易に施工できる利点があるが、防水シートの上端部と立上下地面との間から雨水などが侵入し易いために、従来、防水シートの上端面を覆うシール材を立上下地面側と固定具側とに亘って現場で充填して、防水シートの上端部と立上下地面との間への雨水などの侵入を防止している（例えば、特許文献１参照）。
【０００３】
【特許文献１】特開平９−１５１５７４号公報（図６，図７）
【発明の開示】
【発明が解決しようとする課題】
【０００４】
このため、シール材を立上下地面側と固定具側とに亘って充填するにあたって、防水シートの上端部と立上下地面との間への雨水などの侵入を確実に防止できるように、立上下地面側と固定具側の下地処理作業やシール材の充填作業などの現場作業に熟練を要する欠点がある。
本発明は上記実情に鑑みてなされたものであって、熟練を要する現場作業を特に伴うことなく、防水シートの上端部と立上下地面との間への雨水などの侵入を確実、かつ、簡便に防止できる防水シート設置構造を提供することを目的とする。
【課題を解決するための手段】
【０００５】
本発明の第１特徴構成は、平面下地面と、その平面下地面から立ち上がる立上下地面とに亘って防水シートで覆い、その防水シートの上端部をその外面側から挟み込んで前記立上下地面側に固定する固定具を設けてある防水シート設置構造であって、前記上端部と前記立上下地面との間を一連に被覆可能なカバー部材を前記固定具に取付けると共に、前記上端部の上方側に沿って前記立上下地面側に対して一連に接当可能な弾性部材を前記カバー部材に設けて、前記弾性部材を前記立上下地面側に弾性変形状態で一連に密着させてある点にある。
【０００６】
〔作用及び効果〕
防水シートの上端部をその外面側から挟み込んで立上下地面側に固定する固定具を利用して、その固定具に上端部と立上下地面との間を一連に被覆可能なカバー部材を取付け、そのカバー部材に設けてある弾性部材を、上端部の上方側に沿って立上下地面側に対して一連に接当させて、弾性部材を立上下地面側に弾性変形状態で一連に密着させてあるので、シール材を立上下地面側と固定具側とに亘って特に充填することなく、つまり、立上下地面側と固定具側の下地処理作業やシール材の充填作業などの熟練を要する現場作業を特に伴うことなく、防水シートの上端部と立上下地面との間への雨水などの侵入を確実かつ、簡便に防止できる。
【０００７】
本発明の第２特徴構成は、前記カバー部材を前記固定具に向けて一方向から押し付ける押し付け操作で、前記カバー部材と前記固定具とを外れ止め状態で嵌合可能な嵌合部を設けて、前記カバー部材を前記固定具に取付けてある点にある。
【０００８】
〔作用及び効果〕
防水シートの上端部を固定具で立上下地面側に固定してから、カバー部材を固定具に取付けることができるので、カバー部材と固定具とを予め一体に取付けてある場合のように、弾性部材を、その弾性復元力に抗して、立上下地面側に弾性変形状態で一連に密着させながら、防水シートの上端部を固定具で立上下地面側に固定するといった煩雑な作業が不要で、防水シートの上端部を固定具で立上下地面側に容易に固定することできる上、カバー部材を固定具に向けて一方向から押し付る押し付け操作で、カバー部材と固定具とを外れ止め状態で嵌合して、取付け用の工具を特に使用することなく、簡便にカバー部材を固定具に取付けて、弾性部材を立上下地面側に弾性変形状態で一連に密着させることができる。
【０００９】
本発明の第３特徴構成は、前記弾性部材を前記カバー部材に着脱可能に設けてある点にある。
【００１０】
〔作用及び効果〕
弾性部材が劣化すると、その弾性部材をカバー部材から外して容易に交換することができる。
【００１１】
本発明の第４特徴構成は、前記弾性部材を、前記立上下地面の上部で前記平面下地面の上方に張り出すように延設してある張出部の下面側に、弾性変形状態で一連に密着させてある点にある。
【００１２】
〔作用及び効果〕
立上下地面の上部で平面下地面の上方に張り出すように延設してある張出部の下面側は雨水などに曝されるおそれが少なく、その張出部の下面側に弾性部材を弾性変形状態で一連に密着させてあるので、雨水などが弾性部材の密着部を通してカバー部材の内側に流れ込むおそれが少ない。
【００１３】
本発明の第５特徴構成は、前記弾性部材を径方向に弾性変形自在な筒状に形成して、前記立上下地面側に弾性圧縮変形状態で一連に密着させてある点にある。
【００１４】
〔作用及び効果〕
弾性部材を径方向に弾性変形自在な筒状に形成してあるので、立上下地面側に対する密着面積を確保し易く、カバー部材の内側への雨水などの侵入を確実に防止できると共に、密着部を挟んで径方向に対向する二つの筒壁部分で雨水などの侵入を防止できるので、仮に、一方の筒壁部分が破損或いは劣化しても、他方の筒壁部分で雨水などの侵入を防止できる。
【００１５】
本発明の第６特徴構成は、前記カバー部材の内側に侵入した水を流下させて排出可能な水抜き孔を設けてある点にある。
【００１６】
〔作用及び効果〕
カバー部材の内側を強風を伴う降雨時に外部と等圧にできることから、降雨水が浸入するおそれが少なくなり、また、万一侵入した降雨水や結露水を流下させて水抜き孔から排出することができ、しかも、乾燥が早くなるので、雨水などに加えて、結露水が防水シー
トの上端部と立上下地面との間に侵入したり、劣化を促進したりするおそれが少ない。
【発明を実施するための最良の形態】
【００１７】
以下に本発明の実施の形態を図面に基づいて説明する。
〔第１実施形態〕
図１，図２は、本発明による防水シート設置構造を設けてある建物屋上部分を示し、スラブ本体（平面下地に相当）１Ａと、そのスラブ本体１Ａから交差状態に立設配置してあるパラペット（立上下地に相当）１Ｂとを備えた下地躯体１の表面に沿って防水層２を設けてある。
【００１８】
前記下地躯体１は、現場打ちコンクリートや複数のセメント系成形パネルを隣接状態に設置して形成してあり、スラブ本体１Ａとパラペット１Ｂとの接合隅部に、スラブ本体１Ａとパラペット１Ｂとに亘る防水シート取付用の下地金具３を固定して、この下地金具３に防水層２を接着固定してある。
【００１９】
前記パラペット１Ｂは、立上下地面４の上部で平面下地面５の上方に張り出す張出部６を延設してあり、この張出部６の下面側に水切り溝７を一連に形成してある。
【００２０】
前記防水層２は、スラブ本体１Ａの平面下地面５を覆うスラブ用防水シート２Ａと、パラペット１Ｂの立上下地面４を覆うパラペット用防水シート２Ｂとを、それらの端縁部どうしを重ねて下地金具３に電磁誘導加熱や接着材で接着固定してあり、パラペット用防水シート２Ｂの上端部（以下、シート上端部という）８を張出部６の下面近く、つまり、立上下地面４の上下方向中間位置に延設して、平面下地面５と立上下地面４とに亘って防水シート２Ａ，２Ｂで覆ってある。
【００２１】
そして、図２にも示すように、シート上端部８をその外面側から挟み込んで立上下地面４側に押し付け固定する帯板状の固定金具９と、シート上端部８と立上下地面４との間を一連に被覆可能な非透光性を備えたカバー部材１２とを設け、固定金具９をステンレス鋼製のビス１６でパラペット１Ｂに固定して、シート上端部８と立上下地面４との間をカバー部材１２で一連に被覆してある。
【００２２】
前記カバー部材１２は、固定金具９と一体にアルミ合金で押し出し成形してある断面形状がＬ字状のカバー板１９に、シート上端部８の上方側に沿って立上下地面４側に対して一連に接当可能な弾性部材２０を設けて、シート上端部８と立上下地面４との間への雨水などの侵入を確実かつ、簡便に防止できるように構成してある。
【００２３】
前記弾性部材２０は、ＥＰＤＭ，クロロプレンゴム，シリコーンゴム及びポリオレフィン系などの弾性ゴムなどで径方向に弾性変形自在に形成した円筒状の環状ガスケットあるいは発泡体ガスケットなどで構成してあり、カバー板１９の上端側に沿って着脱自在に嵌合する嵌合溝部２１を一体形成してカバー板１９に着脱可能に設け、このガスケット２０が径方向に弾性圧縮変形する弾性変形状態で、立上下地面４側、つまり、張出部６の下面側に一連に密着して接当するように、カバー部材１２を固定金具９に一体に設けてある。
【００２４】
〔第２実施形態〕
図３は、防水シート設置構造の別実施形態を示し、シート上端部８と立上下地面４との間にブチルゴム製のテープ状シール材１７挟み込み、カバー部材１２を帯板状の固定金具９に取付け可能な取付け部１３を設けて、取付け部１３を介して固定金具９に取付けたカバー部材１２で、シート上端部８と立上下地面４との間を一連に被覆してある。
【００２５】
前記カバー部材１２は、固定金具９よりも幅広で固定金具９を上下両端を越えて全幅に
亘って覆うアルミ合金製のカバー板１９に、シート上端部８の上方側に沿って立上下地面４側に対して一連に接当可能な環状ガスケット２０を設けて、シート上端部８と立上下地面４との間への雨水などの侵入を確実かつ、簡便に防止できるように構成してある。
尚、  カバー板１９は、ステンレス鋼板などの金属で形成してあっても良い。
【００２６】
前記取付け部１３は、カバー部材１２と固定金具９とを外れ止め状態で嵌合可能な嵌合部２２を、固定金具９に固定具側嵌合部２３をアルミ合金で一体に押し出し成形するとともに、カバー部材１２のカバー板１９にカバー側嵌合部２４をアルミ合金で一体に押し出し成形して構成してある。
【００２７】
前記固定具側嵌合部２３は、係止爪２５を一連に備えた上下一対の固定具側係止板２６を、上側の固定具側係止板２６の係止爪２５が上方に向き、下側の固定具側係止板２６の係止爪２５が下方に向くように平行に設けて構成してあり、カバー側嵌合部２４は、係止爪２５を一連に備えた上下一対のカバー側係止板２７を、上側のカバー側係止板２７の係止爪２５が下方に向き、下側のカバー側係止板２７の係止爪２５が上方に向くように平行に設けて構成してある。
【００２８】
そして、図４に示すように、パラペット１Ｂに固定してある固定金具９に向けてカバー部材１２を略水平な一方向から押し付る押し付け操作で、固定具側係止板２６の係止爪２５とカバー側係止板２７の係止爪２５とを互いに係合させることにより、カバー部材１２と固定金具９とを外れ止め状態で嵌合して、カバー部材１２を固定金具９に取り付けてある。
【００２９】
また、上下一対の固定具側係止板２６の各々に水抜き用兼空気導入用の孔２８を設け、カバー部材１２の内側の侵入水や結露水などを流下させて排出し、かつ、カバー部材１２の内側の通気性を確保できるようにするとともに、強風を伴う降雨時に固定金具９とカバー板１９との間の空間と外気との等圧化を促進して雨水の浸入防止を図れるようにしてある。
その他の構成は第１実施形態と同様である。
【００３０】
〔第３実施形態〕
図５は、防水シート設置構造の別実施形態を示し、第２実施形態で示した環状ガスケット２０に代えて、弾性ゴムなどの弾性部材で弾性変形自在に形成した弾性板２０をカバー板１９の上端側に着脱自在に嵌合し、その弾性板２０の上端が張出部６の水切り溝７内に入り込んで弾性曲げ変形する弾性変形状態で、立上下地面４側、つまり、水切り溝７の内面側に一連に密着して接当するように、カバー部材１２を固定金具９に取り付けてある。
その他の構成は第２実施形態と同様である。
【００３１】
〔第４実施形態〕
図６は、防水シート設置構造の別実施形態を示し、第２実施形態で示したカバー板１９に環状ガスケット２０を設けてあるカバー部材１２に代えて、カバー板１９の上端に立上下地面４側に向けて傾斜する傾斜板２９を延設し、その傾斜板２９の上端部に嵌合した環状ガスケット２０が立上下地面４側に一連に密着して接当するように、カバー部材１２を固定金具９に取り付けてある。
その他の構成は第２実施形態と同様である。
【００３２】
〔第５実施形態〕
図７は、カバー部材１２と固定金具９とを外れ止め状態で嵌合した状態で、カバー側係止板２７が固定金具９に接当するように構成すると共に、上側のカバー側係止板２７の上面に排水用の水勾配３０を形成して、カバー板１９に形成した空気導入用を兼用する水抜
き孔２８を通して、カバー部材１２の内側の侵入水や結露水などを流下させて排出可能に構成してある。
その他の構成は第２実施形態と同様である。
【００３３】
〔その他の実施形態〕
１．本発明による防水シート設置構造は、カバー部材の全体を、防水シートの上端部の上方側に沿って立上下地面側に対して一連に接当可能な弾性部材で構成してあっても良い。２．本発明による防水シート設置構造は、カバー部材をビスなどで固定具に取付け可能な取付け部を設けてあっても良い。
【図面の簡単な説明】
【００３４】
【図１】防水シート設置構造を示す一部断面斜視図
【図２】要部の一部断面斜視図
【図３】第２実施形態を示す要部の断面図
【図４】施工方法を示す斜視図
【図５】第３実施形態を示す要部の一部断面斜視図
【図６】第４実施形態を示す要部の一部断面斜視図
【図７】第５実施形態を示す要部の一部断面斜視図
【符号の説明】
【００３５】
２Ａ  防水シート
２Ｂ  防水シート
４    立上下地面
５    平面下地面
６    張出部
８    上端部
９    固定具
１２  カバー部材
２０  弾性部材
２２  嵌合部
２８  水抜き孔
【図１】
2005061117.tif 000003
【図２】
2005061117.tif 000004
【図３】
2005061117.tif 000005
【図４】
2005061117.tif 000006
【図５】
2005061117.tif 000007
【図６】
2005061117.tif 000008
【図７】
2005061117.tif 000009